(57)【要約】【課題】  本発明は、別部材を用いることなく中皿の交換、配置変更を行うことができ、中皿のサイズや配置の選択肢を広げることができる化粧用容器を提供することを目的とする。【解決手段】  本発明に係る化粧用容器の代表的な構成は、四辺形の平面形状を有する収納部２ｃが形成された容器本体２と、蓋体３と、収納部２ｃを仕切るパーテーション６と、パーテーション６により仕切られた収納部２ｃの各空間に固定される、化粧料を収納する複数の中皿４と、を有する化粧用容器１であって、収納部２ｃの対向する片にガイド溝２ｄを設け、パーテーション６の両端にはガイド溝２ｄと係合する係合ピン６ｂを形成することにより、パーテーション６を収納部２ｃ内で移動可能に構成したことを特徴とする。【選択図】    図１
2005218616.tif 000002
【特許請求の範囲】
【請求項１】
四辺形の平面形状を有する収納部が形成された容器本体と、蓋体と、前記収納部を仕切るパーテーションと、該パーテーションにより仕切られた前記収納部の各空間に固定される、化粧料を収納する複数の中皿と、を有する化粧用容器であって、
前記収納部の対向する片にガイド溝を設け、前記パーテーションの両端には前記ガイド溝と係合する係合ピンを形成することにより、前記パーテーションを前記収納部内で移動可能に構成したことを特徴とする化粧用容器。
【請求項２】
請求項１記載の化粧用容器であって、
前記パーテーションの上部には、前記中皿の上端を押える張出部を有することを特徴とする化粧用容器。
【請求項３】
請求項１記載の化粧用容器であって、
前記収納部には、前記ガイド溝の上方に前記パーテーションの固定位置を制限する突条の規制片を形成し、前記パーテーションを移動させる際は、該パーテーションを前記係合ピンを中心に倒すことにより前記規制片と干渉しない状態で移動させ、前記規制片が形成されない所定の区切り位置で前記パーテーションを立ち上げ、前記パーテーションの位置決めを行うことを特徴とする化粧用容器。 
【発明の詳細な説明】
【技術分野】
【０００１】
本発明は、化粧料等を収容する化粧用容器に関するものである。
【背景技術】
【０００２】
従来、化粧料等を収容する化粧用容器として、パーテーションで容器本体内を仕切られており、中皿や化粧用具のサイズや配置が決められている化粧用容器が一般的に用いられている。このような化粧用容器では、使いたい色の化粧料の中皿を選択して携帯することや、よく使う色の化粧料の中皿を大きくしたり、使いやすい位置に配置したりすることができなかった。
【０００３】
そこで、容器本体の内面または中皿の底面に吸着部材を取り付けて中皿や化粧用具を容器本体内に保持し、化粧用具やサイズの異なる中皿を自在に交換、配置することができる化粧用容器が提案されている（例えば、特許文献１）。
【０００４】
【特許文献１】特開２００３−２０４８２１号公報
【発明の開示】
【発明が解決しようとする課題】
【０００５】
しかしながら、特許文献１に記載の化粧用容器は、吸着部材を用いて中皿や化粧用ハケを容器本体内に保持しており、別体として吸着部材が必要であり、吸着力の劣化等により吸着部材を交換する必要がある。また、容器本体内を仕切壁で仕切った場合には、中皿のサイズや配置を選択する幅が狭くなるという問題があった。
【０００６】
そこで本発明は、別部材を用いることなく中皿の交換、配置変更を行うことができ、中皿のサイズや配置の選択肢を広げることができる化粧用容器を提供することを目的とする。
【課題を解決するための手段】
【０００７】
上記課題を解決するために本発明に係る化粧用容器の第一の構成は、四辺形の平面形状を有する収納部が形成された容器本体と、蓋体と、前記収納部を仕切るパーテーションと、該パーテーションにより仕切られた前記収納部の各空間に固定される、化粧料を収納する複数の中皿と、を有する化粧用容器であって、前記収納部の対向する片にガイド溝を設け、前記パーテーションの両端には前記ガイド溝と係合する係合ピンを形成することにより、前記パーテーションを前記収納部内で移動可能に構成したことを特徴とする。
【０００８】
また、本発明に係る化粧用容器の第二の構成は、第一の構成の化粧用容器であって、前記パーテーションの上部には、前記中皿の上端を押さえる張出部を有することを特徴とする。
【０００９】
また、本発明に係る化粧用容器の第三の構成は、第一の構成の化粧用容器であって、前記収納部には、前記ガイド溝の上方に前記パーテーションの固定位置を制限する突条の規制片を形成し、前記パーテーションを移動させる際は、該パーテーションを前記係合ピンを中心に倒すことにより前記規制片と干渉しない状態で移動させ、前記規制片が形成されない所定の区切り位置で前記パーテーションを立ち上げ、前記パーテーションの位置決めを行うことを特徴とする。
【発明の効果】
【００１０】
本発明に係る化粧用容器の第一の構成により、別部材を用いることなく中皿の交換、配置変更を行うことができ、中皿のサイズや配置の選択肢を広げることができる。
【００１１】
また、本発明に係る化粧用容器の第二の構成により、中皿が誤って外れてしまうことを防止することができる。
【００１２】
また、本発明に係る化粧用容器の第三の構成により、パーテーションが誤って移動してしまうことを防止することができる。
【発明を実施するための最良の形態】
【００１３】
[第一実施形態]
本発明に係る化粧用容器の第一実施形態について、図を用いて説明する。図１は本実施形態に係る化粧用容器の斜視図、図２、図３はパーテーションの移動の説明図、図４は容器本体の上視図である。
【００１４】
図１に示すように、化粧料等を収容する化粧用容器１は、容器本体２、蓋体３、中皿４、パーテーション５、６から構成される。
【００１５】
容器本体２は、内側に化粧料を収納する中皿４（４ｂ）、化粧具14（図４参照）を収納する収納部２ｃと、周側壁にヒンジ用凹部２ｂ、フック用凹部２ａを設けている。ヒンジ用凹部２ｂは容器本体２の背面に形成され、フック用凹部２ａは容器本体２の正面に形成される。
【００１６】
蓋体３は、その内面の中央に鏡10、内面の背面側にヒンジ用凸部３ａを、内面の正面側にフック12をそれぞれ設け、容器本体２にヒンジ結合している。
【００１７】
ヒンジ用凸部３ａは、前記したヒンジ用凹部２ｂに嵌め込まれている。ヒンジ用凹部２ｂとヒンジ用凸部３ａの軸穴に軸13を通すことにより、ヒンジ用凸部３ａは両側を容器本体２に支持されることとなり、蓋体３が容器本体２に対して回動可能に蝶着される。
【００１８】
フック12は、蓋体３を閉じた際に容器本体２のフック用凹部２ａ内に設けられた掛止凸部８に掛止されて、蓋体３を容器本体２に閉蓋状態でロックするようになっている。また、フック用凹部２ａ内に取り付けられたボタン９を押圧することで、ボタン９がフック12を押し上げて掛止凸部８とフック12のロックを解除し、蓋体３が開く。
【００１９】
収納部２ｃは、奥行き×横幅が４×５.５ｃｍの長方形の平面形状に形成されており、中央に４×１.５ｃｍの化粧具14の収納部（空間Ｓ３）が形成されている。そして、収納部２ｃの左側から２ｃｍの位置がパーテーション５の固定位置Ｐ１となっており、収納部２ｃの右側から２ｃｍと１ｃｍの位置がパーテーション６の固定位置Ｐ２、Ｐ３となっている。固定位置Ｐ１、Ｐ２において、パーテーション５、６が収納部２ｃの空間を幅方向に仕切っており、パーテーション６は、固定位置Ｐ２と固定位置Ｐ３間を移動可能となっている。なお、収納部２ｃの平面形状は、上記形状に限定されるものでなく、正方形、台形等の様々な四辺形の平面形状とすることができる。
【００２０】
このように、収納部２ｃはパーテーション５、６により各空間Ｓ１、Ｓ２、Ｓ３に仕切られている。そして、左右の空間Ｓ１、Ｓ２に背面側から１×２ｃｍの中皿４ｂが４つづつ配置され、中央の空間Ｓ３に化粧具14が収納されている。
【００２１】
ここで、パーテーション５、６及び、パーテーション６を移動させる構成について説明する。図２、図３に示すように、パーテーション６は、収納部２ｃの空間を幅方向に仕切る長方形の板状に合成樹脂等で形成されている。
【００２２】
パーテーション６の上部には、中皿４の上端を押さえる張出部６ａが設けられている。中皿４は一辺を張出部６ａで押さえられ、対向する他の辺を収納部の周側壁の上部に形成されたフランジにより押さえられて固定されている。尚、張出部６ａは、仕切った空間Ｓ２、Ｓ３の両方へ張り出しているが、少なくとも中皿４が配置される空間Ｓ２側に張り出していればよい。
【００２３】
一方、容器本体２は、収納部２ｃの正面側と背面側の対向する片（周側壁）にガイド溝２ｄが形成されている。ガイド溝２ｄは、固定位置Ｐ２から固定位置Ｐ３まで形成されている。また、パーテーション６の両端の下部には、ガイド溝２ｄと係合する係合ピン６ｂが形成されている。パーテーション６は係合ピン６ｂを中心に空間Ｓ３側に回動可能となっている。また、係合ピン６ｂがガイド溝２ｄに沿ってスライドすることで、パーテーション６が収納部２ｃ内で固定位置Ｐ３から固定位置Ｐ２に移動可能となっている。
【００２４】
また、収納部２ｃには、ガイド溝２ｄの上方にパーテーション６の固定位置Ｐ２、Ｐ３を制限する突条の規制片２ｅが形成されている。パーテーション６を移動させる際は、パーテーション６を係合ピン６ｂを中心に空間Ｓ３側に倒すことにより規制片２ｅと干渉しない状態で移動する。そして、パーテーション６を規制片２ｅが形成されない所定の区切り位置（固定位置Ｐ２）まで移動した後、係合ピン６ｂを中心に立ち上げ、規制片２ｅに当接して位置決めする。
【００２５】
規制片２ｅ及び収納部２ｃの周側壁には、パーテーション６の回動に干渉しないように、円弧状の逃げ部２ｆ、２ｇが形成されている。また、収納部２ｃの周側壁に係合穴２ｈが形成され、パーテーション６に係合凸部６ｄが形成されており、係合凸部６ｄが係合穴２ｈに係合することでパーテーション６を立ち上げた状態に保つことができる。
【００２６】
また、パーテーション６の正面側と背面側の両端には、傾斜片６ｃが形成されている。傾斜片６ｃは、パーテーション６の上部に空間Ｓ３側に突出した三角形状に形成されている。パーテーション６を倒した際に、傾斜片６ｃの斜面が収納部２ｃに当接することで、パーテーション６を所定の角度に倒した状態を保持する。これにより、パーテーション６は張出部６ａ側が少し持ち上がった状態で移動することとなり、パーテーション６の移動及び立ち上げをスムーズに行うことができる。
【００２７】
このように、パーテーション６を固定位置Ｐ３から固定位置Ｐ２（逆に、固定位置Ｐ２から固定位置Ｐ３）へ移動することで、図４に示すように、収納部２ｃ内の中皿４の配置を変更することができる。すなわち、パーテーション６を固定位置Ｐ２から固定位置Ｐ３へ移動した場合には、図４（ａ）、図４（ｂ）に示すように、左の空間Ｓ１に背面側から２×２ｃｍの中皿４ｃが１つ、１×２ｃｍの中皿４ｂが２つ配置され、右の空間Ｓ２に背面側から１×１ｃｍの中皿４ａが２つ、２×１ｃｍの中皿４ｂが１つ配置され、中央の空間Ｓ３に化粧具14が収納された配置とすることができる。
【００２８】
中皿４には、収納部２ｃの空間Ｓのサイズにあわせた最小サイズの１×１の中皿４ａを基準として、中皿４ａの２個分の１×２（２×１）の中皿４ｂや、中皿４ａの４個分の２×２の中皿４ｃがある。そして、２つの中皿４ａと１つの中皿４ｂを交換、配置変更したり、２つの中皿４ｂと１つの中皿４ｃを交換、配置変更したりして、中皿４のサイズや配置を変更することができる。特に、パーテーション６を倒すことにより、簡単に中皿４の張出部６ａによる固定を解除することができ、中皿４の交換を容易に行うことができる。
【００２９】
図４に示す配置は一例であり、使いたい色の化粧料の中皿を選択して携帯したり、よく使う色の化粧料の中皿を大きくしたり、使いやすい位置に配置したりすることができる。
【００３０】
パーテーション５は、パーテーション６と同様に形成されており、張出部、係合ピン、傾斜片、係合凸部（いずれも不図示）を設けている。そして、収納部２ｃの周側壁には係合ピンに係合する係合穴（いずれも不図示）が形成され、パーテーション５は空間Ｓ３側に倒れるように回動するが、収納部２ｃの周側壁にはガイド溝を設けていないので、固定位置Ｐ１から移動可能な構成とはなっていない。
【００３１】
化粧用容器１を使用する際は、まず、上述のごとく、ボタン９を押圧して掛止凸部８とフック12のロックを解除し、蓋体３を開く。そして、空間Ｓ３から化粧具14を取り出し、化粧具14を用いて中皿４に充填された好みの化粧料にて化粧をする。
【００３２】
化粧料が使用によりなくなった場合や、他の色の化粧料等を携帯したい場合は、化粧料のなくなった中皿４を収納部２ｃから外す。そして、新しい中皿４を収納部２ｃに収納して中皿４の交換を行う。
【００３３】
また、サイズの異なる中皿４に交換したい場合も同様に、交換する化粧料の入った中皿４（例えば、１つの中皿４ｃ）を収納部２ｃから外し、交換する中皿４（例えば、２つの中皿４ｂ）を収納部２ｃに収納して中皿４の交換を行う。
【００３４】
上述のごとく、収納部２ｃの対向する片（周側壁）にガイド溝２ｄを設け、パーテーション６の両端にはガイド溝２ｄと係合する係合ピン６ｂを形成することにより、パーテーション６を収納部２ｃ内で移動可能に構成した。これにより、別部材を用いることなく中皿４の交換、配置変更を行うことができ、パーテーション６の移動により、中皿４のサイズや配置の選択肢を広げることができる。
【００３５】
また、パーテーション５、６の上部には、中皿４の上端を押さえる張出部５ａ、６ａを設けたことにより、中皿４が誤って外れてしまうことを防止することができる。
【００３６】
また、収納部２ｃには、ガイド溝２ｄの上方にパーテーション６の固定位置Ｐ２、Ｐ３を制限する突条の規制片２ｅを形成し、パーテーション６を移動させる際は、パーテーション６を係合ピン６ｂを中心に倒すことにより規制片２ｅと干渉しない状態で移動し、規制片２ｅが形成されない所定の区切り位置（固定位置Ｐ３）でパーテーション６を立ち上げ、パーテーション６の位置決めを行う。これにより、パーテーション６が誤って移動してしまうことを防止することができる。
【００３７】
[第二実施形態]
次に本発明に係る化粧用容器の第二実施形態について図を用いて説明する。図５は本実施形態に係る化粧用容器の容器本体の上視図である。上記第一実施形態と説明の重複する部分については、同一の符号を付して説明を省略する。
【００３８】
図５に示すように、本実施形態にかかる化粧用容器21は上記第一実施形態における化粧用容器１の奥行き×横幅が４×５.５ｃｍの長方形の収納部２ｃを、奥行き×横幅が３×３ｃｍの正方形の平面形状の収納部２ｃに形成したものである。そして、パーテーション５を設けず、収納部２ｃの右側から１ｃｍと２ｃｍの位置の固定位置Ｐ２、Ｐ３の間を移動可能なパーテーション６のみを設けたものである。
【００３９】
収納部２ｃはパーテーション６により各空間Ｓ２、Ｓ３に仕切られている。そして、右の空間Ｓ２に背面側から１×１ｃｍの中皿４ａと、２×１ｃｍの中皿４ｂが１つづつ配置され、左の空間Ｓ３に化粧具14が収納されている。
【００４０】
上記第一実施形態と同様に、パーテーション６を固定位置Ｐ２から固定位置Ｐ３へ移動することで、収納部２ｃ内の中皿４の配置を変更することができる。すなわち、図５（ａ）から図５（ｂ）に示すように、右の空間Ｓ２に背面側から１×２ｃｍの中皿４ｂが３つ配置され、左の空間Ｓ３に化粧具14が収納された配置とすることができる。
【００４１】
このように、収納部２ｃの対向する片（周側壁）にガイド溝２ｄを設け、パーテーション６の両端にはガイド溝２ｄと係合する係合ピン６ｂを形成することにより、パーテーション６を収納部２ｃ内で移動可能に構成した。
【００４２】
これにより、上記第一実施形態と同様に、別部材を用いることなく中皿４の交換、配置変更を行うことができ、パーテーション６の移動により、中皿４のサイズや配置の選択肢を広げることができる。また、上記第一実施形態と同様に、中皿４が誤って外れたり、パーテーション６が誤って移動することを防止することもできる。
【産業上の利用可能性】
【００４３】
本発明は、化粧料以外の様々な内容物を収容するコンパクト容器にも適用出来る。
【図面の簡単な説明】
【００４４】
【図１】第一実施形態に係る化粧用容器の斜視図である。
【図２】パーテーションの移動の説明図である。
【図３】パーテーションの移動の説明図である。
【図４】容器本体の上視図である。
【図５】他の実施形態に係る化粧用容器の容器本体の上視図である。
【符号の説明】
【００４５】
Ｐ１〜Ｐ３  …固定位置
Ｓ１〜Ｓ３  …空間
１、21    …化粧用容器
２    …容器本体
２ａ  …フック用凹部
２ｂ  …ヒンジ用凹部
２ｃ  …収納部
２ｄ  …ガイド溝
２ｅ  …規制片
２ｆ、２ｇ  …逃げ部
２ｈ  …係合穴
３    …蓋体
３ａ  …ヒンジ用凸部
４、４ａ〜４ｃ  …中皿
５、６    …パーテーション
５ａ  …張出部
５ｂ、６ｂ  …係合ピン
５ｃ  …傾斜片
６ａ  …張出部
６ｃ  …傾斜片
６ｄ  …係合凸部
８    …掛止凸部
９    …ボタン
12    …フック
13    …軸
14    …化粧具
【図１】
2005218616.tif 000003
【図２】
2005218616.tif 000004
【図３】
2005218616.tif 000005
【図４】
2005218616.tif 000006
【図５】
2005218616.tif 000007